(57)【要約】【課題】インジケータの不適切な点灯を防止することができるインジケータ駆動回路を提供すること。【解決手段】本発明に係るインジケータ駆動回路１は、インジケータ４の動作又は非動作を選択するインジケータ駆動回路１であって、インジケータ駆動回路１の入力と出力との間を非動作の場合に切断する切断手段１１を含むことを特徴とする。【選択図】図４
2014054869.tif 000002
【特許請求の範囲】
【請求項１】
インジケータの動作又は非動作を選択するインジケータ駆動回路であって、当該インジケータ駆動回路の入力と出力との間を前記非動作の場合に切断する切断手段を含むことを特徴とするインジケータ駆動回路。
【請求項２】
前記入力に対して前記出力を反転させるインバータを含み、前記切断手段は前記インバータと前記インジケータ駆動回路の出力端子との間に介在されることを特徴とする請求項１に記載のインジケータ駆動回路。
【発明の詳細な説明】
【技術分野】
【０００１】
本発明は、車載のインジケータを適宜点灯制御及び滅等制御するインジケータ駆動回路に関する。
【背景技術】
【０００２】
車載のインジケータを適宜駆動するインジケータ駆動回路としては、例えば特許文献１に記載されたようなものがある。インジケータは例えばＬＥＤ（Light Emitting Diode）等の発光部品により構成され、インジケータ駆動回路は例えば車載向けの予防安全系を始めとしたＥＣＵ（Electronic Control Unit）により構成される。
【０００３】
ＥＣＵはインジケータの点灯により警報を行い、インジケータの動作時つまり点灯時には所望の電圧もしくは電流を、インジケータを含むインジケータ回路に印加する。ここで非動作時つまり非点灯時にはインジケータ駆動回路の出力を接地する方式が一般に採用されている。
【先行技術文献】
【特許文献】
【０００４】
【特許文献１】特開２００９−２０４７１２号公報
【発明の概要】
【発明が解決しようとする課題】
【０００５】
しかしながら、このようなインジケータ駆動回路においては、車両のモータ駆動系の電源ラインからのノイズがＥＣＵとインジケータ回路との間を結ぶワイヤーハーネスに重畳すると、インジケータ回路と接地回路においてノイズの波形のレベル増大と周期の長大化及びレベルそのものの増大を招いて、不適切なインジケータの点灯を招来するおそれがあった。
【０００６】
本発明は、上記問題に鑑み、インジケータの不適切な点灯を防止することができるインジケータ駆動回路を提供することを目的とする。
【課題を解決するための手段】
【０００７】
上記の問題を解決するため、本発明に係るインジケータ駆動回路は、インジケータの動作又は非動作を選択するインジケータ駆動回路であって、当該インジケータ駆動回路の入力と出力との間を前記非動作の場合に切断する切断手段を含むことを特徴とする。ここで、前記入力に対して前記出力を反転させるインバータを含み、前記切断手段は前記インバータと前記インジケータ駆動回路の出力端子との間に介在されることとしてもよい。
【発明の効果】
【０００８】
本発明によれば、インジケータ駆動回路内の入力と出力間を切断手段によって非動作時には切断するので、インジケータのノイズによる不適切な点灯を防止することができる。
【図面の簡単な説明】
【０００９】
【図１】本発明による実施例のインジケータ駆動回路１の前提構成を示す回路図である。
【図２】実施例のインジケータ駆動回路１の前提構成におけるノイズの伝播態様を示す模式図である。
【図３】実施例のインジケータ駆動回路１の前提構成におけるノイズが増大される態様を示す模式図である。
【図４】実施例のインジケータ駆動回路１の概念を示す模式図である。
【図５】実施例のインジケータ駆動回路１の具体的回路構成を示す模式図である。
【発明を実施するための形態】
【００１０】
以下、本発明を実施するための形態について、添付図面を参照しながら説明する。本実施例のインジケータ駆動回路１は、例えばＥＣＵであって、前提構成として、周知のインバータを含み、インバータは入力端子ＩＮ、出力端子ＯＵＴ、電源端子Ｖｄｄを含み、接地回路Ｇを含むものである。出力端子ＯＵＴはワイヤーハーネス２を介してインジケータ回路３に接続されている。
【００１１】
インジケータ回路３は、例えばＬＥＤにより構成されるインジケータ４を含み、インジケータ４に直列に電流制限用の抵抗Ｒを含み、インジケータ４に並列に電圧調整用のコンデンサＣを含み、分岐点Ｐのワイヤーハーネス２側に整流用のダイオードＤを含んでいる。インジケータ４も接地回路Ｇを含んでいる。
【００１２】
インジケータ駆動回路１を構成するＥＣＵは、例えば車両の予防安全系ＥＣＵであり、インジケータ４の点灯つまり動作時には、インジケータ４に対してインバータの動作に基づいて所望の電圧もしくは電流を印加し、例えば車両外の他者に対する警報を行う。また、ＥＣＵはインジケータ４の消灯つまり非動作時には、インバータの出力端子ＯＵＴを接地回路Ｇにより接地する。
【００１３】
ここでインジケータ駆動回路１とインジケータ回路３との間のワイヤーハーネス２は、例えば車両のパワーシートやミラーアクチュエータ等のモータ系機構の電源ラインのハーネス等と並走するケースがある。この場合には、図２に示すように、モータ系の誘導ノイズが隣接したハーネス間の容量カップリングで結合し、ワイヤーハーネス２に誘導ノイズが乗り、インジケータ４のインジケータ回路３内のハーネスラインにノイズが伝播することを招く。このノイズレベルがインジケータ４の動作閾値電圧を上回るとインジケータ４がＥＣＵの非動作時に点灯してしまう誤点灯を招いてしまう。
【００１４】
またワイヤーハーネス２に誘導ノイズが乗ると、以下のメカニズムによりノイズレベルの増幅と周期の増大を招く。すなわち、図３に示すように、ワイヤーハーネス２に丸１で示すように誘導ノイズが伝播すると、ダイオードＤやＬＥＤであるインジケータ４により丸２に示すように半波整流されて、負の電圧成分が除去される。さらに、丸３に示すように、インジケータ回路３内の接地回路Ｇとインジケータ駆動回路１内の接地回路Ｇとを結ぶ破線で示す接地ラインとモータ系機構の電源ラインとの寄生容量により波形が平滑化されて、波形のレベルが増大し周期も長くなる。
【００１５】
このノイズが接地回路Ｇ、インバータ、出力端子ＯＵＴを経由して再度ワイヤーハーネス２に乗り、インジケータ回路３に到達するとインジケータ４の誤点灯を招く。特にノイズの周期が長くなる程インジケータ４の誤点灯が人間の目に認識されやすくなる不都合を招く。
【００１６】
そこで本実施例のインジケータ駆動回路１では、インジケータ４の動作又は非動作を選択するインジケータ駆動回路１であるとともに、インジケータ駆動回路１の入力端子ＩＮ（入力）と出力端子ＯＵＴ（出力）との間を非動作の場合に切断する切断手段１１を図４に示すように含む。
【００１７】
この切断手段１１の具体的構成は図５に示すＭＯＳＦＥＴ１１（Metal-Oxide-Semiconductor Field-Effect Transistor)である。ここで、インバータは入力に対して出力を反転させるものであり、ＭＯＳＦＥＴ１１はインバータとインジケータ駆動回路１の出力端子ＯＵＴとの間に介在され、ＥＣＵ内部のＤＳＰ１２（Digital Signal Processor）によりＭＯＳＦＥＴ１１は動作時にオンとされ非動作時にオフとされる。
【００１８】
すなわちインジケータ４の非動作時、つまり非点灯時においては、インジケータ駆動回路１の出力端子ＯＵＴは、図４に示すように接地回路Ｇとの導通がＭＯＳＦＥＴ１１のオフにより遮断されてFloating状態とされるので、インジケータ回路３内の接地回路Ｇとインジケータ駆動回路１内の接地回路Ｇとを結ぶ破線で示す接地ラインから、モータ系機構の電源ラインとの寄生容量により波形が平滑化されて、波形のレベルが増大し周期も長くされたノイズがワイヤーハーネス２に伝播することを防止することができる。これにより、インジケータ４のノイズによる誤点灯を防止することができる。
【００１９】
以上本発明の好ましい実施例について詳細に説明したが、本発明は上述した実施例に制限されることなく、本発明の範囲を逸脱することなく、上述した実施例に種々の変形および置換を加えることができる。
【００２０】
例えばＭＯＳＦＥＴ１１に変えて機械的な接点を有するリレーを切断手段として、インバータと出力端子ＯＵＴとの間に挿入することもできる。この場合はＤＳＰ１２によりリレーのコイル端子を非動作時にオフとし動作時にオンとする。
【産業上の利用可能性】
【００２１】
本発明は、インジケータを選択的に点灯制御するインジケータ駆動回路に関するものであり、特に車両内においてモータ駆動系の電源系統からのノイズとノイズの増幅に基づいてインジケータが消灯時に誤点灯してしまうことをより適切に防止することができるものである。これにより特には予防安全系ＥＣＵにより制御されるインジケータの警報の信頼性を高めることができる。
【符号の説明】
【００２２】
１      インジケータ駆動回路（ＥＣＵ）
１１    ＭＯＳＦＥＴ（切断手段）
１２    ＤＳＰ
２      ワイヤーハーネス
３      インジケータ回路
４      インジケータ
Ｄ      ダイオード
Ｃ      コンデンサ
Ｒ      抵抗
Ｐ      分岐点
Ｖｄｄ  電源端子
ＩＮ    入力端子
ＯＵＴ  出力端子
Ｇ      接地回路
【図１】
2014054869.tif 000003
【図２】
2014054869.tif 000004
【図３】
2014054869.tif 000005
【図４】
2014054869.tif 000006
【図５】
2014054869.tif 000007